(57)【要約】【課題】既知の装置の不都合を取り除く電気機械的回路遮断器用の吹出し装置の改良設計を提供する。【解決手段】電気機械的回路遮断器は、主回路（３，４）に電流を確立し且つこれを遮断するものであり、第１の位置では主回路（３，４）の電流を伝えるために互いに電気的接触している固定接触素子（５）と可動接触素子（６）とを含む。可動接触素子（６）は、主回路の電流が切られるように固定接触素子（５）から分離される第２の位置に移動されるようになっている。回路遮断器は、該二つの接触素子（５，６）の分離によって発生されたアークを消弧手段（１）の中へ駆動するようになった磁界（２６）を生じさせるために磁化電流が通される磁化コイル（８）を含む吹出し装置（２）を備える。吹出し装置（２）は、磁化コイル（８）に電気的に接続され且つアークが磁化電流を磁化コイル（８）に発生させるようにアークと協同するようになった電極手段（１２）を含む。アークを駆動するための磁界は、アークの作用によって発生される。電極手段（１２）は、二つの接触素子の分離によって発生されたアークが接触素子（５，６）と、、一方の接触素子（５）と電極手段（１２）との間の第１のアーク（１３ａ）、及び電極手段（１２）と他方の接触素子（６）との間の第２のアーク（１３ｂ）に少なくとも部分的に分離されるような関係に配置される。第１のアーク（１３ａ）或いは第２のアーク（１３ｂ）は、一方の側で電極手段（１２）に接続され且つ他方の側で接触素子（５，６）の１つに接続された磁化コイル（８）と並列結合に設定される。これらの特徴は、より小さい電流を遮断するときでもより高い遮断効率及び性能を得るができる。【選択図】図６
2009501408.tif 000002
【特許請求の範囲】
【請求項１】
主回路（３，４）に電流を確立し且つそれを遮断するものであり、第１の位置では主回路（３，４）の電流を伝えるために互いに電気接触している固定接触素子（５）と可動接触素子（６）とを含み、可動接触素子（６）が、主回路の電流が中断されるように固定接触素子（５）から分離される第２の位置に移動されるようになっている電気機械的回路遮断器であり、該電気機械的回路遮断器は、該二つの接触素子（５，６）の分離によって発生されたアークを消弧手段（１）の中へ駆動するようになった磁界（２６）を生成するための磁化電流が通される磁化コイル（８）を含む吹出し装置（２）を備え、該吹出し装置（２）は、前記磁化コイル（８）に電気的に接続され且つアークが該磁化電流を磁化コイル（８）に発生させるように前記アークと協同するようになった電極手段（１２）を含み、アークを駆動するための磁界が前記アークの作用によって発生される、前記電気機械的回路遮断器において、
前記電極手段（１２）は、前記接触素子（５，６）と前記二つの接触素子の分離によって発生されたアークが一方の接触素子（５）と電極手段（１２）との間の第１のアーク（１３ａ）、及び電極手段（１２）と他方の接触素子（６）との間の第２のアーク（１３ｂ）に少なくとも部分的に、分離されるような関係に配置され、前記第１のアーク（１３ａ）或いは前記第２のアーク（１３ｂ）は、一方の側で前記電極手段（１２）に接続され、他方の側で一方の前記接触素子（５，６）に接続された前記磁化コイル（８）と並列結合に設定されることを特徴とする、該電気機械的回路遮断器。
【請求項２】
吹出し装置は、磁化コイル（８）を通る電流（Ｉ(B)）が、電極手段（１２）と一方の接触素子（５，６）との間の磁化コイル（８）と並列結合に設定された第１アーク（１３ａ）或いは第２のアーク（１３ｂ）を通る電流（Ｉ(M')）よりも小さいように構成されることを特徴とする、請求項１に記載の電流遮断器。
【請求項３】
電極手段は、可動接触素子（６）を取り囲むように可動接触素子（６）の両側に取り付けられた一つ或いは二つの電極（１２）を含む、請求項２に記載の電流遮断器。
【請求項４】
可動接触素子（６）は、可動接触素子（６）の所定の位置で、少なくともアーク（１３）の一部が第１のアーク（１３ａ）を形成するために電極（１２）に跳び越すことができ且つ第２のアーク（１３ｂ）を形成するために電極（１２）から可動可能接触素子（６）まで跳び越すように可動接触素子（６）の軌道の両側に配置された電極（１２）を通る平面と同一平面にある、面（１７）を含む、ことを特徴とする請求項３に記載の電流遮断器。
【請求項５】
電極手段は、可動接触素子（６）の両側に取り付けられ且つ両方とも互いに向い合った突起（３０）を備えた二つの電極（１２）を含み、該突起（３０）がアークを捕捕捉するように形作られていることを特徴とする、請求項３に記載の電流遮断器。
【請求項６】
吹出し装置（２）は、各々、少なくとも一つの磁極片（９）で終っている少なくとも二つのアーム（１１）を含む磁化回路（２５）を備え、アークを駆動するための磁界（２６）が磁極片間に少なくとも部分的に発生されることを特徴とする、請求項１から５のいずれかに記載の電流遮断器。
【請求項７】
消弧手段は、吹出し装置（２）に取り付けられたアークシュート（１）であり、このアークシュート（１）は、吹出し装置（２）に近いその側面に、磁極片（９）に近く或いは該磁極片（９）と接触して配置された二つの補足の磁極片（１０）を備えることを特徴とする、請求項６に記載の電流遮断器。
【請求項８】
磁極片（９，１０）は、より高い誘導が消弧去手段（１）の帯域で達成され、より低い誘導が可動接触素子（５）と固定接触素子（６）との間の帯域で達成されるように設計及び構成されることを特徴とする請求項６又は７に記載の電流遮断器。
【請求項９】
吹出し装置（２）は、アークを電極手段に接触させるようにアークを移動させるためにアークに作用する力を発生させるようになった少なくとも一つの永久磁石（１４）を備えている、請求項１から８のいずれかに記載の電流遮断器。
【請求項１０】
主電流が切られなければならない主回路の所定の状態を検出するための検出手段を備え、該検出手段は、主電流を切るように可動接触素子（６）を移動させるようになったアクチュエータ（７）と協同する、ことを特徴とする請求項１から請求項９のいずれかに記載の電流遮断器。
【請求項１１】
主回路（３，４）の電流を遮断するものであり且つ第１の位置で主回路（３，４）の電流を伝えるために互いに電気的に接触している固定接触素子（５）と可動接触素子（６）とを含む電気機械的回路遮断器の電流を遮断する方法であり、可動接触素子（６）が、主回路の電流が切られるように固定接触素子（５）から分離される第２の位置に移動されるようになっており、二つの接触素子（５，６）の分離によって発生されるアークが、該アークを駆動するようになった磁界（２６）を生じさせるための磁化電流が通される磁化コイル（８）を含む吹出し装置（２）によって消弧手段（１）の中に駆動され、アークを駆動するための磁界がアークの作用によって発生され、アークが、該アークを消弧手段（１）の中に駆動するために磁化電流を磁化コイル（８）に発生させるように磁化コイル（８）に電気的に接続された電極手段（１２）と協同するようにした、前記方法であって、
上記二つの接触素子（５，６）の分離によって発生されたアークは、一方の接触素子（５）と電極手段（１２）との間の第１のアーク（１３ａ）、及び電極手段（１２）と他方の接触素子（６）との間の第２のアーク（１３ｂ）に少なくとも部分的に分離され、前記第１のアーク（１３ａ）或いは第２のアーク（１３ｂ）は、一方の側で電極手段（１２）に接続され且つ他方の側で一方の接触素子（５，６）の１つに接続された前記磁化コイル（８）と並列結合に設定される、ことを特徴とする、上記方法。
【請求項１２】
磁化コイル（８）を通る電流（Ｉ(B)）は、電極手段（１２）と一方の接触素子（５，６）との間の磁化コイル（８）と並列結合に設定された第１アーク（１３ａ）或いは第２のアーク（１３ｂ）を通る電流（Ｉ(M')）よりも小さいことを特徴とする、請求項１１に記載の方法。
【請求項１３】
可動接触素子（６）を取り囲むように可動接触素子（６）の両側に電極手段を形成する一つ或いは二つの電極（１２）を提供することを特徴とする、請求項１２に記載の方法。
【請求項１４】
可動接触素子の面（１７）が、可動接触素子（６）の所定の位置で、第１のアーク（１３）を形成するためにアーク（１３）の少なくとも一部が電極（１２）まで且つ第２のアーク（１３ｂ）を形成するために電極（１２）から可動接触素子（６）まで跳び越すことができるように可動接触素子（６）の軌道の両側に配置された電極（１２）を通る平面と同一平面にあるように可動接触素子（６）を配置することを特徴とする、請求項１３に記載の方法。
【請求項１５】
電極手段が可動接触素子（６）の両側に取り付けられ且つ両方とも互いに向い合った突起（３０）を備えた二つの電極（１２）を形成するように形作られ、前記突起（３０）がアークを捕捉するように形作られることを特徴とする、請求項１３に記載の方法。
【請求項１６】
磁化コイルで発生された磁界が、各々、少なくとも一つの磁極片（９）で終わっている、少なくとも二つのアーム（１１）を含む磁化回路によってアークを消弧手段（１）の中に駆動するようになっている所定の位置に導かれることを特徴とする、請求項１１ないし１５のいずれか一項に記載の方法。
【請求項１７】
磁極片の設計及び構成が、より高い誘導が消弧手段（１）の帯域で達成され、且つより低い誘導が可動接触素子（５）と固定接触素子（６）との間の帯域で達成されるように選択されることを特徴とする請求項１６に記載の方法。
【請求項１８】
少なくとも一つの永久磁石（１４）が吹出し装置に取り付けられ且つアークを電極手段（１２）に接触させるようにアークを移動させるためにアークに作用する力を発生させるようになっている、請求項１１から１７のいずれか一項に記載の方法。
【発明の詳細な説明】
【技術分野】
【０００１】
本発明は、特に、しかし排他的ではないが、鉄道車両を含む公営輸送業務（トラクション）ネットワークのような直流（ＤＣ）装置を保護するようになった電気機械的回路遮断器に関する。係るネットワークは、典型的には、７５０ないし３０００Ｖの公称電圧を有する。回路遮断器は、例えば、装置のどこかが短絡の場合に大電流の中断に用いられる。しかしながら、回路遮断器は、また、多くの他の産業用途をも有する。係る既知の電気機械的回路遮断器は、主回路の電流を確定しかつそれを遮断するものであり、第１の位置では、主回路の電流を伝えるために互いに電気的に接触している固定接触素子及び可可動接触素子を含み、可可動接触素子は、第２の位置に可動移動されるようになっていて、第２の位置では、可可動接触素子が固定接触素子から分離され、その結果、主回路の電流が中断され、回路遮断器は、二つの接触素子の分離によって発生したアークを消弧手段へ駆動するようになった磁界を生成するための磁化電流が通る磁化コイルを含む吹出し装置を備え、吹出し装置は、磁化コイルに電気的に接続され且つアークが磁化コイルに磁化電流を発生させるようにアークと協働するようになっている電極手段を含み、アークを駆動するための磁界は、アークの作用によって発生される。
【背景技術】
【０００２】
今日、回路遮断器は、公営輸送業務システムのほとんどの給電所及び鉄道車両で用いられている。これらの電気機械的回路遮断器は、可動接触素子と協働する固定接触素子を含む。通常の条件下では、これらの接触素子は、互いに接触し且つ主回路の電流が接触素子間に伝導される。電流を遮断するときには、これらの接触素子間の物理的距離が、二つの接触素子間に電気アークを生じさせるある種の電気機械的アクチュエータによって増す。
【０００３】
電流の遮断を有効にするために、この電気アークを消弧させなければならない。これは、通常、主回路によって発生される磁界に関係した力によってアークが差し向けられる、既知の種類の所謂アークシュートを使用することによって達成される。このアークシュートの内部で、アークが多数のさらに小さいアークに分割され、それらの小さいアークは、ついには、が分離した接触素子にわたる伝導の最終破壊に導く。
【０００４】
一般に、アークをＤＣ回路遮断器のアークシュ-トの中に可動させ移動するための電磁力は、電流値の二乗の関数である。中断されるべき電流が非常に低いときに特定の問題がある。この場合、発生した力は、アークをアークシュートに可動させ移動するのに十分ではない。
【０００５】
この目的で、この種の回路遮断器は、電磁力が電気アークをアークシュートのような消弧装置の中に駆動するために用いられることを意味する電磁式のものである所謂吹出し装置を備えている。
【０００６】
例えば、米国特許第４，３０２，６４４号では、解決策が提案され、それによれば、電気コイルがコンタクトと直列に接続され、かくして、遮断器の全電流を取る。構成の容積を限度内に保つために、少ない巻き数しか用いることができず、それは小さい電流を遮断するときに効率を制限する。
【０００７】
ある例では、小さい電流中断が中断性能に関して大きい電流中断よりもより一層要求することがあることが当該技術で知られている。
【発明の開示】
【発明が解決しようとする課題】
【０００８】
本発明の一つの目的は、既知の装置の不都合を取り除く電気機械的回路遮断器の吹出し装置の改良設計を提供することにある。
【課題を解決するための手段】
【０００９】
本発明によれば、この結果は、特許請求の範囲の請求項１による特徴を有し且つ電極手段が、接触素子と、二つの接触素子の分離によって発生されたアークが、一方の接触素子と電極手段との間の第１のアーク及び電極手段と他方の接触素子との間の第２のアークに少なくとも部分的に、分離されるような関係に配置され、第１のアーク或いは第２のアークが一方の側で電極手段に接続され且つ他方の側で接触素子の一つに接続された磁化コイルと並列結合に設定されることを特徴とする吹出し装置を提供することによって達成される。
【００１０】
これらの特徴は、小さい電流を遮断するときでも高い効率を有する回路遮断器を得ることができる。更に、高い堅実性及び寿命、並びに低いコスト価格を得ることができる。
【００１１】
好ましくは、吹出し装置は、磁化コイルを通る電流が、電極手段と接触素子の一つとの間で磁化コイルと並列結合に設定された第１のアーク或いは第２のアークを通る電流よりも小さいように構成される。
【００１２】
かくして、かなりの巻き数を有する磁化コイルを用いることができ、小さい電流を遮断するときでも吹出し装置の性能及び効率を向上させることができる。
【００１３】
有利な実施形態では、可動接触素子は、アークの少なくとも一部が第１のアークを形成するために電極まで跳び越えることができ且つ第２のアークを形成するために電極から可動接触素子まで跳び越えることができるように、可動接触素子の所定の位置で、可動接触素子の軌道の両側に配置された電極を通る平面と同一平面にある表面を含む。
【００１４】
この構成は、回路遮断器の非常に正確で且つ確実な機能を得ることができる。
【００１５】
吹出し装置は、好ましくは、各々、少なくとも一つの磁極片で終っている少なくとも二つのアームを含む磁化回路を備え、アークを駆動するための磁界が磁極片間で少なくとも部分的に発生される。
【００１６】
これらの特徴は、特にアークをアークシュートの中にうまく駆動するようになった磁界を発生させることができ、かくして高い遮断性能及び安全性を得ることができる。
【００１７】
本発明は、更に、主回路の電流を遮断するようにした電気機械的回路遮断器の電流を遮断する方法に関し、第１の位置で主回路の電流を伝えるために互いに電気的に接触している固定接触素子と可動接触素子とを含み、可動接触素子が、主回路の電流が中断されるように固定接触素子から分離される第２の位置に移動されるようになっていて、二つの接触素子の分離によって発生されるアークが、該アークを駆動するようになっている磁界を生じさせるために磁化電流が通される磁化コイルを含む吹出し装置によって消弧手段の中に駆動され、アークを駆動するために磁界がアークの作用によって発生され、アークが、アークを消弧手段の中に駆動するために磁化電流を磁化コイルに発生させるように磁化コイルに電気的に接続された電極手段と協同させられ、上記二つの接触素子の分離によって発生されたアークは、少なくとも部分的に一方の接触素子と電極手段との間の第１のアーク、及び電極手段と他方の接触素子との間の第２のアークに分離され、第１のアーク或いは第２のアークは、一方の側で電極手段に接続され且つ他方の側で接触素子の一つに接続される磁化コイルと並列結合に設定されることを特徴とする。
【００１８】
本発明のその他の特徴、目的、使用及び効果は、従属請求項から及びその一部を形成する添付図面を参照して続ける記述から明らかであろう。
【発明を実施するための最良の形態】
【００１９】
図１は、吹出し装置２及び関連したアークシュート１を有する本発明による回路遮断器を概略的に且つ一般的な方法で示す。このアークシュートは、在来の設計のものであり、これに関しては更に説明をしない。主電流経路は、接触バー３から、関連した可動機械的接触素子６及び接触バー４を通って、固定機械的接触素子５に通る。通常の条件下では、これらの接触素子は、互いに電気接触して主電流を伝える。機械的接触素子を通る電流は、回路遮断器が作動された瞬間にいずれかの方向に流れることがある。
【００２０】
機械的接触素子６の移動は、例えば、接触素子を引き離し且つ接触素子間の距離を増すことによって電気接触を開くために必要な物理的移動をひき起す非常に速いアクチュエータ７によって制御される。
【００２１】
回路遮断器が作動される典型的な状況は、回路遮断器が接続される主回路のあるところに短絡回路がある理由で現われるときである。
【００２２】
係る短絡回路は、電流を公称値以上にかなり増すことがあり、勿論主回路の構成部品及び機器を破損することがある。
【００２３】
係る短絡回路の影響を最小にするために、従って、できるだけ迅速に電流を完全に遮断することに関心があり、かくしてそれは回路遮断器によって達成される。
【００２４】
しかしながら、回路遮断器は、さらに大きな設計問題を引き起すことがあるさらに小さい電流を遮断することもできるべきである。
【００２５】
検出手段（図示せず）が、例えば、主回路に配置されて、主電流を切るべき状態を検出することを目的とする。係る状態は、短絡回路の結果である電流の増加にあるかも知れない。協同する制御手段（図示せず）が、信号を回路遮断器のアクチュエータ７に送り、すると、回路遮断器が接触を開く。しかしながら、回路遮断器は、手動で、或いは異常状態の検出なく、アクチュエータ７に送られた通常の制御信号を用いることによって作動されることもある。
【００２６】
図２は、図１による吹出し装置２の構成の別の図を示す。この図では、アークシュートを図示していない。アクチュエータ７及び接触バー３、４並びに以下に詳述する二つの磁極片９を示している。一般的に平らな上面１５は、関連したアークシュートの支持面である。
【００２７】
図３は、吹出し装置２の電極の機械的構成を示す。支持面１５の中央部分のオリフィス１６には、二つの磁極片９が、この図では示されていないアークシュート１の方向に上向きに延びている。また、このオリフィス１６を通して可動接触素子６の各側面に取り付けられた二つの電極１２を見ることもできる。以下に説明するように、これらの電極１２は、本発明の本質的部分を形成する。
【００２８】
吹出し装置２は、更に、可動接触素子６の上に取り付けられ且つ可動接触素子６に電気的に接続された第１の案内ホーン２０と、固定接触素子５の上部に取り付けられ且つ固定接触素子５に電気的に接続された第２の案内ホーン２１とを含む。
【００２９】
図４は、吹出し装置２の磁気回路２５の構成の実施形態を示す。磁化コイル８は、コア８ａと各々が磁極片９で終っている二つのアーム１１とを含む磁気回路に磁界を発生する。また、磁気回路には、支持面１５の上に取り付けられるアークシュート１の一部を形成する二つの磁極片１０が配置される。
【００３０】
磁極片１０は、磁極片９に固定されていないが、アークシュート１が吹出し装置２の上に取り付けられるときにこれらの磁極片９の近くに或いはこれらの磁極片９と接触して配置される。磁気回路のコア、アーム、及び磁極片は、鉄で適当に作られる。また、この構成を図５に概略的に示す。
【００３１】
図５は、吹出し装置２の磁気回路２５の詳細を示す。図５は、概略図であり、特にアークシュート内で固定接触素子５と可動接触素子６との間の間隙に磁界２６の発生を示そうとしていることに注目すべきである。電流Ｉ(B)によって作起動されたときに、磁化コイル８は、磁気回路のアーム１１を通り且つ磁極片９、１０の間の間隙に磁気流を発生する。磁極片９は、より高い誘導をアークシュート帯域２７に達成し且つより低いか或いはかなり低い誘導２を可動接触素子５と固定接触素子６との間の帯域２８に発生させるように構成される。
【００３２】
図５は、また、電極手段を形成する二つの電極１２が可動接触素子６の周りを取り囲むように構成されることも示す。これらの電極１２の各々は、その上部に互いに向き合った突起３０を含む。両方の電極１２は、電線３１によって電気的に接続される。また、電極１２は、電線３２によって磁化コイル８にも電気的に接続され且つ磁化コイル８から電線３３によって可動接触素子６にも電気的に接続される。
【００３３】
図６は、吹出し装置２の電極１２の構成の側面図を示す。概略形的で、上記による磁化コイル８のための作動電流Ｉ(B)が、回路遮断器の外側からエネルギーの入力なしに遮断シーケンス中自動的に発生される方法を示す。固定接触素子５及び可動接触素子６を側面図で示す。協同する電気回路は、可動接触素子６と、磁化コイル８と、可動接触素子６の両側に配置された一対の電極１２と、を含む。また、これらの電極の構成を図７に示す。
【００３４】
通常の状態では、固定接触素子及び可動接触素子は、電気的に接触していて全主電流Ｉ(M')を伝える。図示した実施形態、特に図１及び図６では、可動接触素子６は、回動運動３５を有する。これは、通常の状態では、接触素子６の面１７及び接触素子５の面１８は、それぞれ電気的に接触していることを意味する。
【００３５】
いま、適用された方策により主電流の中断をもたらすべき主回路で或る予め定めた状態を検出した場合、可動接触素子６に作用している電気機械的の種類のものであるアクチュエータ７は、制御信号を受ける。その結果、可動接触素子６は、固定接触素子５から引っ込められる。
【００３６】
しかしながら、主電流Ｉ(M')は、電気アーク１３が固定接触素子５と可動接触素子６との間に引き起される事実により直ぐにはゼロまで降下しない。回路遮断器について解決すべき問題は、いま、主回路の可能な破損を制限するためにできるだけ迅速にこの電気アークを消去することである。
【００３７】
上述したように、この種の回路遮断器は、アークシュート１を用い電気アーク１３を分割し且つ最終的にそれを消去するために電気アーク１３をアークシュートに押し込む。図１及び図６では、アークシュート１は、図の上部に物理的に配置される。アークをアークシュートに押し入れる駆動力Ｆは、アークと接触素子５、６の周りの空間内の磁界２６との間の相互作用によって引き起される。次いで、この駆動力Ｆは、図６において、上方に向けられなければならない。
【００３８】
本実施形態による回路遮断器のアーク１３に作用する力は、以下に説明する３つの成分を原則として有する。追加の成分が、図８による変形例では追加される。
【００３９】
既にアーク１３が接触素子５、６間に現われるときに、このアークは、アークが現われる空間を取り囲むスチール部品の残留磁気からの力に晒される。更に、アーク１３は、それ自体、磁界を偏向させるような磁界を引き起す。接触素子５、６間の距離が増るときには、アーク１３は、長くなり、且つ可動接触素子６は、図６及び図７に示すように可動素子６の面１７が可動接触素子６の軌道の両側に配置された電極１２を通る平面と同一平面にある位置に達する。アークは、実際には、プラズマの形態を有し、面１７及び１８上のインパクト点或いは領域は、あまりよく画成されない。いままでそうであったように、電流Ｉ(B)がゼロのときには、電極１２の電位は、面１７の電位と同じである。アーク或いはその一部は、接触素子６の一方の側で電極１２の一つまでに、いま、跳び越えることができ、次いで固定接触素子５と電極１２との間に一方のアーク１３ａを引き起し且つ電極１２と面１７との間に更なるアーク１３ａを引き起す。電極１２と面１７との間のアークにわたる電位差は、いま、磁化コイル８を通って電流を駆動する。この事実は、本発明により、接触素子５、６と磁極片９、１０との間の空間に磁界を引き起すために用いられ、アークをいまアークシュート１の中に押し上げることを確実にする。この装置は、同様に主電流のより低い値についてもかなり良い結果をもたらすということが示された。装置は、遮断の瞬間に主電流の両方向に有効であるということに注目する。
【００４０】
アークシュート１内で一度、アークは、電極１２を出る。かくしてアークを更に押し出す力は、磁気回路の残留誘導によって引き起される。誘導レベルが高ければ高い程、アークがアークシュートに吹き込まれる。
【００４１】
図５に関連して記述したように、磁束は、設計により、磁極片９と磁極片１０の間及びアークシュート１内では、接触素子５、６に近いよりも大変強いので、有利である。
【００４２】
図７は、吹出し装置２の詳細図で電極１２の構成の一例を示す。電極１２は、アーク１３或いはアークの一部が跳び越えるのを容易にするために接近して可動接触素子６を取り囲む。素子６の上部にだけ、電極１３は、互いに向い合った二つの突起３０を備えている。電極のこれらの部分（突起３０）は、アークが電極に接することなく電極間で上方に移動のを効率的に停止させる。
【００４３】
図８は、図６の実施形態による吹出し装置に追加の永久磁石１４を含む先の実施形態の変形例を示す。永久磁石１４は、追加の磁束１４ａを、接触素子５、６間の空間のアーク領域に引き起す。この磁束は、アークシュートの中へのアーク上方移動に直接寄与しない、アーク１３に作用する力Ｆｐを、始めから既に引き起す。力Ｆｐは、紙面に垂直に向けられ、かくしてアークを早い段階で電極１２の一つに横方向に接触させる。
【００４４】
図９Ａ、９Ｂ、９Ｃ及び９Ｄは、電流Ｉ(M')を４つの異なる位置で固定接触素子５と可動接触素子６との間で遮断するときのアーク形成を概略的に示す。
【００４５】
図９Ａでは、アーク１３は、接触素子５、６間に現われ、且つ電流（Ｉ(M')）は、アーク１３を通って駆動される。
【００４６】
図９Ｂでは、アーク１３は、可動接触素子６が電極１２に近付くと長くなる。
【００４７】
図９Ｃでは、可動接触素子６は、電極１２を通る平面３６に含まれる。アーク１３或いはアーク１３の一部は、いま電極１２の一つに横方向に跳び越える。
【００４８】
そして、図９Ｄでは、アーク１３或いはアーク１３の一部は、固定接触素子５と電極１２の一方との間の第１のアーク１３ａと、電極１２と可動接触素子６との間の第２のアーク１３ｂと、に分割される。
【００４９】
電流Ｉ(M')の一部は、第２のアーク１３ｂのチャネルを通して電極１２と可動接触素子６との間に確立される。電流Ｉ(B)の他の部分は、コイル８を通って駆動され、且つ磁界２６を発生することによって電極１２から可動接触素子６まで通る。
【００５０】
コイル８を通る電流Ｉ(B)は、アーク１３ｂを通る電流Ｉ(M')よりも遥かに小さい値を有する。典型的には、電流Ｉ(B)は、１０ないし５０Ａの値を有するのがよいし、電流Ｉ(M')の値は、１０００ないし２００，０００Ａであるのがよい。かくして、電流Ｉ(B)は、好ましくは少なくとも電流Ｉ(M')の３倍小さい（即ち、電流Ｉ(M')の３分の１である）。
【００５１】
アーク１３ｂの抵抗は、コイル８の抵抗よりも低く。コイル８は、アーク１３ｂと並列結合に設定される。
【００５２】
電極１２及び可動並びに固定接触素子のこの特定の構成により、アーク１３或いはアーク１３の一部とコイル８との並列結合の利点が得られる。かくして、かなりの数の巻き数を有するコイル８を備えた吹出し装置を提供することが可能であり、高められた磁界２６を発生させる。かくして、吹出し装置の効率は、全ての電流がコイルを通って流れるような既知の吹出し装置と比較したときに遥かに高い。既知の装置では、かくして、コイルは、かなり限定された巻き数を有するに過ぎない。従って、かなり限定された吹出し効率を既知の装置で得ることができる。
【００５３】
更に、本発明では、コイルは、高電流を受けない、従って、装置は、既知の装置と比較してより優れた寿命及びより低いコスト価格を有する。
【００５４】
図５ないし図９に示すように、電極１２は、二つの接触素子の分離によって発生されたアークが、一方の接触素子、ここでは固定接触素子５と、電極１２との間の第１のアーク１３ａと、電極１２と他方の接触素子、ここでは可動接触素子６との間の第２のアーク１３ｂと、に少なくとも部分的に分離されるような接触素子５、６との関係に配置される。第２のアーク１３ｂ或いは第１のアーク１３ａは、一方の側で電極１２に接続され且つ他方の側で接触素子５或いは６の一方、ここでは可動接触素子６に接続される磁化コイル８と並列結合に設定される。特にこれらの特徴は、上記の利点を得ることを可能にする。
【００５５】
勿論、上述した実施形態は、限定するものではなく且つ特許請求の範囲によって画成されたフレームワーク内の全ての望ましい変更の対象になることができる。
【００５６】
コイル８を、図９Ｄの点線で示すように電極１２と固定接触素子５との間に接続してもよい。
【００５７】
電極１２は、かなり異なる形状を有してもよい。一つの電極だけが電極手段として設けられてもよい。この単一電極は、可動接触素子の周りを取り囲むように取り付けられてもよい。
【００５８】
回路遮断器は、一つ以上の可動及び固定接触素子を備えてもよい。
【００５９】
磁気回路２５、アーム１１及び磁極片９及び１０の設計は、異なるように選択してもよい。
【００６０】
吹出し装置２は、一つ以上のコイルを備えてもよく、コイルは、しかしながら、アーク或いはアークの一部と並列結合に設定される。
【図面の簡単な説明】
【００６１】
【図１】吹出し装置及び関連アークシュートを有する本発明による回路遮断器を示す図である。
【図２】図１による吹出し装置の構成を示す別の図である。
【図３】本発明による回路遮断器の電極の機械的構成を示す図である。
【図４】吹出し装置の磁気回路の構成の一例を示す図である。
【図５】吹出し装置の磁気回路の詳細を示す図である。
【図６】図５に示す素子の側面図である。
【図７】図５に示されたいくつかの素子の詳細図である。
【図８】吹出し装置に永久磁石を含む回路遮断器の変形例を示す図である。
【図９Ａ】本発明による回路遮断器のアーク形成を概略的に示す図である。
【図９Ｂ】本発明による回路遮断器のアーク形成を概略的に示す図である。
【図９Ｃ】本発明による回路遮断器のアーク形成を概略的に示す図である。
【図９Ｄ】本発明による回路遮断器のアーク形成を概略的に示す図である。
【符号の説明】
【００６２】
２  吹出し装置
５  固定機械的接触素子
６  可動機械的接触素子
８  磁化コイル
９  磁極片
１１  アーム
１２  電極
１３  電気アーク
１３ａ  第１の電気アーク
１３ｂ  第２の電気アーク
１７、１８  面
２０  第１の案内ホーン
２１  第２の案内ホーン
３２，３３  電線
【図１】
2009501408.tif 000003
【図２】
2009501408.tif 000004
【図３】
2009501408.tif 000005
【図４】
2009501408.tif 000006
【図５】
2009501408.tif 000007
【図６】
2009501408.tif 000008
【図７】
2009501408.tif 000009
【図８】
2009501408.tif 000010
【図９Ａ】
2009501408.tif 000011
【図９Ｂ】
2009501408.tif 000012
【図９Ｃ】
2009501408.tif 000013
【図９Ｄ】
2009501408.tif 000014
【国際調査報告】
2009501408.tif 000015
2009501408.tif 000016
2009501408.tif 000017